(57)【要約】【課題】減光フィルタを介在させての光源光量測定データに含まれてしまう光源及び減光フィルタのむらの補正も含めた合理的な光源調整方法を提供する。【解決手段】制限された光量下で減光フィルタを挿入したスキャニングにより取得された読取信号から減光フィルタ付き光量分布特性を求め、制限された光量下で減光フィルタなしのスキャニングにより取得された読取信号から減光フィルタ無し光量分布特性を求め、通常光量モードにおける減光フィルタ付き光量分布特性と減光フィルタ無し光量分布特性から減光フィルタの光透過むら特性を求め、減光フィルタ付き光量分布特性と減光フィルタの光透過むら特性とから減光フィルタを挿入させた状態での光源光量むら補正データを作成し、この光源光量むら補正データを用いて光源調整を行う。【選択図】        図６
2006033337.tif 000002
【特許請求の範囲】
【請求項１】
読取対象物に対して光ビームを照射する光源と、前記読取対象物を透過又は反射した光ビームを光電変換して読取信号を取得する主走査方向に延びた光電変換ラインセンサと、光源調整時に光ビームの光軸上に挿入される主走査方向に延びた減光フィルタとを備えたスキャナのための光源調整方法において、
前記光源から照射されて前記光電変換ラインセンサに達する光ビームの光量を調整することにより通常光量モードとこれより光量制限された低光量モードを準備するステップと、
前記低光量モードにおいて光ビームの光軸上に前記減光フィルタを挿入させた状態でスキャニングを行うことにより取得された読取信号から主走査方向での第１減光フィルタ付き光量分布特性を求めるステップと、
前記低光量モードにおいて光ビームの光軸上から前記減光フィルタを離脱させた状態でスキャニングを行うことにより取得された読取信号から主走査方向での減光フィルタ無し光量分布特性を求めるステップと、
前記第１減光フィルタ付き光量分布特性と前記減光フィルタ無し光量分布特性から主走査方向での前記減光フィルタの光透過むら特性を求めるステップと、
前記通常光量モードにおいて光ビームの光軸上に前記減光フィルタを挿入させた状態でスキャニングを行うことにより取得された読取信号から主走査方向での第２減光フィルタ付き光量分布特性を求めるステップと、
前記第２減光フィルタ付き光量分布特性と前記減光フィルタの光透過むら特性とから光ビームの光軸上に前記減光フィルタを挿入させた状態での主走査方向での光源光量むら補正データを作成するステップと、
前記光源光量むら補正データを用いて光源調整を行うステップと、
からなることを特徴とする光源調整方法。
【請求項２】
前記通常光量モードにおける光源光量は、前記減光フィルタの介在にもかかわらず、前記読取対象物のスキャニング時に取得される光電変換ラインセンサの読取信号レベルに等価な読取信号レベルが得られるように設定されることを特徴とする請求項１に記載の光源調整方法。
【請求項３】
前記各光量モードは、光源駆動電力の調整又は絞り調整又は光電変換ラインセンサ蓄積時間の調整あるいはそれらの組み合わせによって作り出されることを特徴とする請求項１又は２に記載の光源調整方法。
【請求項４】
前記光源は、少なくとも光の三原色のそれぞれに適応した複数の色成分別ＬＥＤ素子列から構成されることを特徴とする請求項１〜３のいずれか１項に記載の光源調整方法。
【発明の詳細な説明】
【技術分野】
【０００１】
本発明は、読取対象物に対して光ビームを照射する光源と、前記読取対象物を透過又は反射した光ビームを光電変換して読取信号を取得する主走査方向に延びた光電変換ラインセンサと、光源調整時に光ビームの光軸上に挿入される主走査方向に延びた減光フィルタとを備えたスキャナのための光源調整方法に関する。
【背景技術】
【０００２】
一般的にスキャナは、光ビームを読取対象物に照射し、その透過光量や反射光量をＣＣＤ等で光電変換して画像データとしての読取信号を取得する構成であることから、光源から照射される光ビームにいわゆる主走査方向のむらが生じていると正確な画像データ得られないという問題が生じる。この問題を解決するため、測定データが主走査方向に均一となるようにシェーディング補正とも呼ばれる補正データを作成し、この補正データに基づいて、取得画像データが調整される（例えば特許文献１）。
【特許文献１】特開平１０−３０４１９３号公報（２−３頁、図２）
【発明の開示】
【発明が解決しようとする課題】
【０００３】
読取対象物が写真フィルム（以下単にフィルムと略称する）である、フィルムスキャナの場合、光源からの光ビームがフィルムを透過すると、その光量が１０分の１近くも減光されると言われており、このためフィルムをスキャンして得られた読取信号をある一定レベル（例えば１４００）にするためには、フィルムがない状態での光源光量をその１０倍近く（例えば１４０００）に調整しなければならないことになるが、一般に分解能が１２ビットしかないＣＣＤ等の光電変換センサで光電変換するとすれば、フィルムをスキャンする光源光量を直接測定（光電変換）することは困難である。このため、光ビームの光軸上に減光フィルタを介在させながら、その光源光量を測定することになる。しかしながら、減光フィルタを介在させての光源光量測定データには光源そのもののむらだけではなく、減光フィルタの主走査方向の光透過性のむらも含まれてしまう。
【０００４】
上記実状に鑑み、本発明の課題は、減光フィルタを介在させての光源光量測定データに含まれてしまう光源及び減光フィルタのむらの補正も含めた合理的な光源調整方法を提供することである。
【課題を解決するための手段】
【０００５】
読取対象物に対して光ビームを照射する光源と、前記読取対象物を透過又は反射した光ビームを光電変換して読取信号を取得する主走査方向に延びた光電変換ラインセンサと、光源調整時に光ビームの光軸上に挿入される主走査方向に延びた減光フィルタとを備えたスキャナにおいて、上記課題を解決するための本発明による光源調整方法は、
前記光源から照射されて前記光電変換ラインセンサに達する光ビームの光量を調整することにより通常光量モードとこれより光量制限された低光量モードを準備するステップと、前記低光量モードにおいて光ビームの光軸上に前記減光フィルタを挿入させた状態でスキャニングを行うことにより取得された読取信号から主走査方向での第１減光フィルタ付き光量分布特性を求めるステップと、前記低光量モードにおいて光ビームの光軸上から前記減光フィルタを離脱させた状態でスキャニングを行うことにより取得された読取信号から主走査方向での減光フィルタ無し光量分布特性を求めるステップと、前記第１減光フィルタ付き光量分布特性と前記減光フィルタ無し光量分布特性から主走査方向での前記減光フィルタの光透過むら特性を求めるステップと、前記通常光量モードにおいて光ビームの光軸上に前記減光フィルタを挿入させた状態でスキャニングを行うことにより取得された読取信号から主走査方向での第２減光フィルタ付き光量分布特性を求めるステップと、前記第２減光フィルタ付き光量分布特性と前記減光フィルタの光透過むら特性とから光ビームの光軸上に前記減光フィルタを挿入させた状態での主走査方向での光源光量むら補正データを作成するステップと、前記光源光量むら補正データを用いて光源調整を行うステップとを備えている。
【０００６】
この光源調整方法は、基本的には、減光フィルタを介在させた状態で求められた照射光ビームの減光フィルタ付き光量分布特性と、減光フィルタを介在させない状態で求められた照射光ビームの減光フィルタなし光量分布特性とから、減光フィルタの光透過むら特性を求め、この前記減光フィルタの光透過むらを補償するように、つまり減光フィルタの光透過むらが除去されるように、減光フィルタ付き光量分布特性を修正するのであるが、その際、光量調整作業の前処理あるいは同時的な処理として、前記光源から照射されて前記光電変換ラインセンサに達する光ビームの光量を、通常光量モードとこれより光量を制限している低光量モードとで異なって設定され、この低光量モードで減光フィルタ無し光量分布特性が測定されるので、光電変換ラインセンサのダイナミックレンジを有効に利用することができる。つまり、搭載されている光電変換ラインセンサのダイナミックレンジを考慮して、減光フィルタの光透過むら特性を求める工程と、光源調整のための第２減光フィルタ付き光量分布特性を求める工程では、異なる光量モードが利用されるのである。そして、この修正された減光フィルタ付き光量分布特性から求められた光源光量を均一化する光源光量むら補正データを使用することで、減光フィルタを介在させた状態にもかかわらず減光フィルタのむらの影響を受けない光源調整が可能となる。
【０００７】
なお、この２つ光量モードにおける具体的な光源光量に関して、通常光量モードにおける光源光量は、前記減光フィルタの介在にもかかわらず、前記読取対象物のスキャニング時に取得される光電変換ラインセンサの読取信号レベルに等価な読取信号レベルが得られるように設定されると好適であり、低光量モードにおける光源光量は、光源からの照射光ビームを直接光電変換ラインセンサが受けても飽和しない程度に設定されると好適である。
【０００８】
前記各光量モードを作り出すための具体的な方策として、光源駆動電力の調整又は絞り調整又は光電変換ラインセンサ蓄積時間の調整あるいはそれらの組み合わせが提案される。
【０００９】
近年、大量の熱を発生することで発光効率が悪いハロゲンランプに代えて、赤色、緑色、青色の複数のＬＥＤ（発光ダイオード）を光源として採用したスキャナが登場しており、そのようなスキャナに本発明による光源調整方法を適用することができる。その際、求められる各光量分布特性や減光フィルタの光透過むらは各色成分（例えば、Ｒ・Ｇ・Ｂ）毎に行われる。
本発明によるその他の特徴及び利点は、以下図面を用いた実施形態の説明により明らかになるだろう。
【発明を実施するための最良の形態】
【００１０】
図１に、本発明による光源調整方法が採用されたスキャナシステムの一例が模式的に示されている。このシステムはフィルムスキャナ１として構成されているスキャナとこのフィルムスキャナ１によって取得された読取信号（輝度データ）を処理するコントローラ６０から構成されている。
【００１１】
フィルムスキャナ１は、主な構成要素として、照明光学系２０、撮像光学系３０、ラインＣＣＤセンサを用いた光電変換部４０、フィルム２に対する光の照射範囲を決定するとともにフィルム２を光電変換部４０によるスキャニングのために副走査方向に搬送するフィルムキャリヤユニット５０を備えている。このフィルムキャリヤユニット５０は、１３５フィルムやＩＸ２４０フィルム（ＡＰＳフィルム）やブローニフィルムなどのフィルムの種類毎に用意されており、この実施形態では１３５フィルム用のフィルムキャリヤユニット５０が装着されているとする。
【００１２】
照明光学系２０は、光源部２１と光源部２１からの光ビームを調整する平行化レンズ２２、ミラー２３、ＮＤフィルタ２４、ディフューザ２５などから構成されている。光源部２１は、主に赤色成分（以下単にＲと略称する）の光ビームを放射するＬＥＤ素子列からなるＲ光源２１ａと、主に緑色成分（以下単にＧと略称する）の光ビームを放射するＬＥＤ素子列からなるＧ光源２１ｂと、主に青色成分（以下単にＢと略称する）の光ビームを放射するＬＥＤ素子列からなるＢ光源２１ｃを備えている。フィルム２からの透過光ビームを処理する撮像光学系３０は、ズームレンズユニット３１とこの撮像光学系３０を通過して光電変換部４０に入射する光ビームの光量を制限する絞り３２から構成されているが、必要に応じて投射光の方向を変える方向変換光学系が追加される。
【００１３】
撮像光学系３０によって導かれた光ビームを光電変換する光電変換部４０は、Ｒ・Ｇ・Ｂの各色を検出するために割り当てられた、Ｒ光電変換センサ４１ａ、Ｇ光電変換センサ４１ｂ、Ｂ光電変換センサ４１ｃを備えており（色成分別に特に区別する必要がない場合には単に光電変換センサ４１となる）、この実施形態では各光電変換センサ４１は多数（例えば５０００個）のＣＣＤ素子が主走査方向、つまりフィルム２の幅方向に配列されるラインアレイ型のＣＣＤセンサであり、センサ駆動回路４２により主走査時に電荷蓄積動作や電荷蓄積時間の制御が行われる。このため、以後光電変換センサはＣＣＤセンサと言い換えることにする。
【００１４】
Ｒ・ＣＣＤセンサ４１ａの撮像面にはフィルム２を透過した光の主に赤色成分のみを通過させるカラーフィルタが、Ｇ・ＣＣＤセンサ４１ｂの撮像面にはフィルム２を透過した光の主に緑色成分のみを通過させるカラーフィルタが、Ｂ・ＣＣＤセンサ４１ｃの撮像面にはフィルム２を透過した光の主に青色成分のみを通過させるカラーフィルタが設けられており、それぞれ、透過光のうちの青色成分、赤色成分、緑色成分のみを光電変換する。それぞれのＣＣＤセンサ４１から出力される各画素信号はサンプルホールドされ各画素信号が連続した画像信号となり、この各画素信号は所定のビット数（例えば１２ビット）のデジタル信号に変換される。このようにデジタル信号化された画像信号はカラー画像データ（Ｒ・Ｇ・Ｂ輝度データ）としてコントローラ６０に送り込まれる。
【００１５】
このコントローラ６０には写真プリント装置７０が接続されており、コントローラ６０内で処理されたカラー画像データに基づいて生成されたプリントデータによってレーザ露光プリントエンジンやインクジェットプリントエンジンが駆動されることでフィルム２の撮影画像コマに対応する写真プリントを出力する。
【００１６】
次に、フィルムスキャナ１の具体的な構造を図２〜４を用いて説明する。
図２に示すように、照明光学系２０を下部に内蔵するとともに撮像光学系３０と光電変換部４０を上部に内蔵する筐体１０によりフィルムスキャナ１の外観が構築されており、筐体１０の中央部に形成されている凹部の下面にフィルムキャリヤユニット５０が装着されるベース面１０ａが形成されている。
【００１７】
フィルムキャリヤユニット５０は、フィルム搬送方向を横断する方向（主走査方向）に延びているスリット状のスキャンゲート５２が形成されたケース５１を備えるとともに、そのケース５１内に、写真フィルム２をフィルム搬送方向（副走査方向）に往復搬送するための複数の圧着型の搬送ローラ５３と、ベース面１０ａに対向している集光レンズ５４とを備えている。
【００１８】
照明光学系２０は、樹脂成形品で成る上壁部１１と、アルミニウム合金で成る側壁部１２と、同じくアルミニウム合金で成る底壁部１３とでケース状に形成されている。前記上壁部１１の内部には、基板にチップ状の多数の赤色の発光ダイオードを主走査方向に直線状に配列して構成されたＲ光源２１ａと、基板にチップ状の多数の緑色の発光ダイオードを主走査方向に直線状に配列して構成されたＧ光源２１ｂと、基板にチップ状の多数の青色の発光ダイオードを主走査方向に直線状に配列して構成されたＢ光源２１ｃとが取り付けられている。夫々の発光ダイオードアレイＬＥＤに対応する位置に夫々の発光ダイオードアレイからの光線を平行光線化するように夫々の発光ダイオード１に焦点位置を設定した平行化レンズ２２を取り付けられ、これらの平行化レンズ２２を介して送り出された光ビームを合流させるダイクロイック型のミラー２３として第１ミラー２３ａと第２ミラー２３ｂが用意されている。
【００１９】
Ｇ光源２１ｂからの光ビームを上方に送る縦向き姿勢の第１光軸Ｌ１上に平行化レンズ２２と第１ミラー２３ａとが配置され、Ｂ光源２１ｃからの光ビームを上方に送る縦向き姿勢の第２光軸Ｌ２上に平行化レンズ２２と第２ミラー２３ｂとが配置され、Ｒ光源２１ａからの光ビームを水平方向に送る横向き姿勢の第３光軸Ｌ３上に平行化レンズ２２と前記第１・第２ミラー２３ａ、２３ｂとが位置するようになっている。また、第１光軸Ｌ１の延長上で上壁１１部の壁面の近傍位置には光線を拡散させて光量の分布を平均化させるディフューザ２５が配置されている。つまり、第１、第２、第３光軸Ｌ１、Ｌ２、Ｌ３は、各色の光源２１の形成方向（主走査方向）での中央位置で、かつ、基板に垂直となる仮想直線として設定されたものであり、第１光軸Ｌ１の延長上方にフィルムキャリヤユニット５０の集光レンズ５４とスキャンゲート５２が位置し、第２光軸Ｌ２は第１ミラー２３ａにおいて第３光軸Ｌ３と合流する位置となっている。
【００２０】
図３に示すように、第１光軸Ｌ１に沿って上方に送り出される光線の光量を低減する減光フィルタとしてのＮＤフィルタ２４がフィルムキャリヤユニット５０の集光レンズ５４と向き合うように第１光軸Ｌ１上に選択的に位置決め可能に設けられている。このため、ＮＤフィルタ２４を支持する作動プレート１４と、この作動プレート１４に往復作動力を揺動アーム１５を介して伝える駆動部としての電気モータ１６が配置されている。このＮＤフィルタ２４を図３に示す如く照明光学系２０の光路中（第１光軸Ｌ１中）の減光位置にセットすることにより、照明光学系２０から送り出される光線の光量を大きく減じ、このＮＤフィルタ２４を光路外の待避位置に待避させることにより、照明光学系２０からの光ビーム全てを送り出せる。本発明による光源光量調整作業時などでは、ＣＣＤセンサに過大な光量が入り込まないようにＮＤフィルタ２４が光路中にセットされる。
【００２１】
なお、図３では、フィルム２がスキャンゲート５２の近傍位置に存在する状態を示しており、この状態ではＮＤフィルタ２４が待避位置に設定されるべきものであるが、ＮＤフィルタ２４よって光量を制限する状態を理解しやすくするため、同図では、ＮＤフィルタ２４を制限位置にセットした状態を示している。
【００２２】
前記第１ミラー２３ａはＧ光源２１ｂに用いられている緑色の発光ダイオードからの波長（５２０〜５６０ｎｍ）の光線を透過し、これ以外の光線を反射する性能のものであり、前記第２ミラー２３ｂはＲ光源２１ａに用いられている赤色の発光ダイオードからの波長（６２０〜７５０ｎｍ）の光線を透過し、Ｂ光源２１ｃに用いられている青色の発光ダイオードからの波長（４００〜４８０ｎｍ）の光線を反射する特性のものを使用している。
【００２３】
このような照明光学系２０のレイアウトから、Ｇ光源２１ｂから第１光軸Ｌ１に沿って送り出される光線は、平行化レンズ２２で平行光線化した後に、第１ミラー２３ａを透過して第１光軸Ｌ１に沿って上方に送られ、Ｂ光源２１ｃから第２光軸Ｌ２に沿って送り出される光線は、平行化レンズ２２で平行光線化した後に、第２ミラー２３ｂで反射して第３光軸Ｌ３と合流し、Ｒ光源２１ａから第３光軸Ｌ３に沿って送り出される光線は、平行化レンズ２２で平行光線化した後に第２ミラー２３ｂを透過するものとなり、このように第３光軸Ｌ３に沿って送られる赤色成分の光ビームと、青色成分の光ビームとは第１ミラー２３ａで反射され、第１光軸Ｌ１に沿って上方に送られる結果、この第１光軸Ｌ１ではＲ・Ｇ・Ｂの各光ビームが合流した白色の光ビームが送られ、ディフューザ２５で拡散され、スキャンゲート５２に導かれる。
【００２４】
このフィルムスキャナ１でスキャニングを行う際には、取り込む画像の画素数に基づいてズームレンズ３１による拡大率（主走査方向での画素数）を設定し、取り込む画像の画素数に基づいて搬送速度（副走査方向での画素数）を設定した後に、フィルムキャリヤユニット５０にフィルム２をセットし、フィルム２に対して照明光学系２０からの光ビームを照射する状態で、搬送ローラ５３の駆動でフィルム２を設定された速度で搬送し、この搬送速度と同期したタイミングで光電変換部４０の各ＣＣＤセンサ４１において主走査方向に沿うライン状に画像を取り込み、画像データ（輝度データ）として取得され、コントローラ６０に送り込まれる。送り込まれた画像データ、つまりＲ画像データとＧ画像データとＢ画像データに対しては、前処理を経て種々の画像処理が施される。
【００２５】
コントローラ６０は、ＣＰＵを中核部材として、種々の動作を行うための機能部をハードウエア又はソフトウエアあるいはその両方で構築しているが、本発明に特に関するものとして、フィルムスキャナ１から送られてくる画像データをメモリ６１に展開する画像入力部６２と、フィルムスキャナ１に対する光源調整を行う光源調整手段８０と、フィルムキャリヤユニット５０の搬送ローラ５３を含むフィルムスキャナ１のスキャニング動作を制御するスキャナ制御部６３と、メモリに展開された画像データに対して種々の画像処理を施す画像処理部６４と、最終的に得られた撮影画像のための画像データを写真プリント装置７０に対するプリントデータに変換生成するプリントデータ生成部６５などが挙げられる。
【００２６】
光源調整手段８０は、スキャナ制御部６３と協働して、本発明による光源調整方法を管理するが、その典型的な流れを図６によるフローチャートを用いて説明する。
まず、装着されているＮＤフィルタ２４の減光率に基づいて、このＮＤフィルタ２４の介在にもかかわらず、各光源２１の光量がフィルム２のスキャニング時に取得されるＣＣＤセンサ４１の読取信号レベルにほぼ等価な読取信号レベルが得られるように設定される（＃０１）。
【００２７】
この作業ルーチンは、例えば、図７に示されたステップによって行うことができる。つまり、ＮＤフィルタ２４を光軸Ｌ１から離脱させた状態で光源２１を点灯しながら（＃１００）、ＣＣＤセンサ４１の読取信号レベルが１２ビットの範囲に収まるように、撮像光学系３０の絞り３２を調節する（＃１０１）。この状態（低光量モードと呼ぶ）でＮＤフィルタ無しラインスキャンを行う（＃１０２）。さらに、ＮＤフィルタ２４を光軸Ｌ１に挿入した状態でＮＤフィルタ有りラインスキャンを行う（＃１０３）。このラインスキャンでは１００ライン分行われ、これによって取得された読取信号、つまりメモリ６１に展開されたカラー画像データは５０００（各ＣＣＤ素子列のＣＣＤ素子の数）×１００の画素をもつことになる。上述した２回のラインスキャンによって取得された２つのカラー画像データに対して突出したノイズを抑制するため、メモリ６１に展開されたカラー画像データ（Ｒ・Ｇ・Ｂ画素値）に対して平均値フィルタを用いて平滑化処理を施し（＃１０４）、さらに副走査方向の平均値を演算して主走査方向の測定値（画素値）を求める（＃１０５）。ＮＤフィルタ無しラインスキャンとＮＤフィルタ有りラインスキャンによって求められた測定値からＮＤフィルタの減光率を求める（＃１０６）。求められたＮＤフィルタの減光率に基づいて、ＮＤフィルタ２４の介在にもかかわらず、フィルム２のスキャニング時に取得されるＣＣＤセンサ４１の読取信号レベルにほぼ等価な読取信号レベルが得られるように各光源２１の駆動電力を設定する（＃１０７）。この駆動電力で光源２１が動作しているモードが通常光量モードである。
【００２８】
図６のフローチャートに戻ると、前述した通常光量モードで、かつＮＤフィルタ２４を光軸Ｌ１に挿入して、光源２１から照射されＮＤフィルタ２４を通過してきた光ビームを各ＣＣＤセンサ４１によってラインスキャン（ＮＤフィルタ有りのラインスキャン：ラインスキャンＡ）してその光量分布をメモリ６１に展開されるカラー画像データの画素値の形で測定する（＃０２）。取得された、例えば１００ライン分のカラー画像データは、図７のフローチャートのステップ＃１０４〜＃１０５で説明したような平滑化処理と平均値演算によってノイズが抑制された測定値となる。そのように処理された測定結果をグラフで表したものが図８に示されている。
【００２９】
次に、再び図７のフローチャートのステップ＃１００〜＃１０１の手順と同様に、  ＮＤフィルタ２４を光軸Ｌ１から離脱させ（＃０３）、その状態で光源２１を点灯しながらＣＣＤセンサ４１の読取信号レベルが１２ビットの範囲に収まるように、撮像光学系３０の絞り３２を調節するが、いわゆるこの低光量モードにおける絞り３２の絞り値がわかっている場合は直接絞り３２をそのように調節するだけで低光量モードを作り出してもよい（＃０４）。この低光量モードでＮＤフィルタ無しのラインスキャン（ラインスキャンＢ）を行い、取得されたカラー画像データに平滑化処理と平均値演算を施して、図９でグラフ化されているような測定値を得る（＃０５）。
【００３０】
次に、低光量モードで、かつＮＤフィルタ２４を光軸Ｌ１に挿入して（＃０６）、ＮＤフィルタ無しのラインスキャン（ラインスキャンＣ）を行い、取得されたカラー画像データに平滑化処理と平均値演算を施して、図１０でグラフ化されているような測定値を得る（＃０７）。
【００３１】
ステップ＃０５と＃０７で得られた測定値、つまりＮＤフィルタ有りのラインスキャン測定値とＮＤフィルタ無しのラインスキャン測定値の比率を演算し、ＮＤフィルタ２４の主走査方向の光透過むらを求める（＃０８）。このむら（比率）をグラフ化したものが図１１に示されている。
【００３２】
ステップ＃０２において求められた、通常光量モードでのＮＤフィルタ有りのラインスキャン（ラインスキャンＡ）での測定結果（図８でグラフ化されている光量分布）から、この光量分布を均一化（フラット化）するための補正係数を求める（＃０９）。この補正係数をグラフ化したものが図１２に示されている。この求められた補正係数は、光源２１の主走査方向の光量むらは考慮されているが、ＮＤフィルタ２４の主走査方向の光透過むらは光量されていない。このため、この補正係数にステップ＃０８で求められたＮＤフィルタ２４の主走査方向の光透過むらを掛け合わせて、光源２１の光量むらとＮＤフィルタ２４の光透過むらとを考慮した真の光源光量むら補正係数を算定する（＃１０）。この光源光量むら補正係数をグラフ化したものが図１３に示されている。つまり、図８に示されている「光源＋ＮＤフィルタ」の光量分布に、図１３に示されている光源光量むら補正係数を掛け合わせることで、「光源＋ＮＤフィルタ」の光量分布が実質的にフラットになる。
【００３３】
従って、光源調整作業を行う際、取得された測定値をこの光源光量むら補正係数によって補正することで、ＮＤフィルタの光透過むらの影響を受けない光源調整が実現する。
【００３４】
上述した実施形態の説明では、減光フィルタとしてＮＤフィルタを取り上げたが、その他の光ビームの透過を制限する種々の部品を減光フィルタとして用いることが可能であり、本発明では、減光フィルタの種類を特定していない。
【００３５】
上述した実施形態の説明では、スキャナとしてＲ・Ｇ・Ｂタイプのフィルムスキャナを採用していたが、少なくとも光の三原色のそれぞれに適応した分光感度を有する複数の光源と複数の光電変換センサからなる全てのスキャナ及び単色のスキャナに本発明は適用可能である。
【図面の簡単な説明】
【００３６】
【図１】本発明による光源調整方法を採用したスキャナシステムの一例を模式的に示す模式図
【図２】図１によるスキャナシステムに用いられたフィルムスキャナの外観を示す斜視図
【図３】フィルムスキャナの照明光学系を示す断面図
【図４】フィルムスキャナの内部要素を説明するための説明図
【図５】スキャナシステムに用いられたコントローラ内に構築された本発明に関係する機能要素を説明する機能ブロック図
【図６】本発明による光源調整方法の一例を説明するフローチャートを示す図
【図７】ＮＤフィルタ２４の減光率に基づいて適切な光量モードを決定するフローチャートを示す図
【図８】ＮＤフィルタ有りでの光量分布グラフを示す図
【図９】低光量モードにおけるＮＤフィルタ有りでの光量分布グラフを示す図
【図１０】ＮＤフィルタ無しでの光量分布グラフを示す図
【図１１】ＮＤフィルタむらを表すグラフを示す図
【図１２】ＮＤフィルタむらを考慮しない補正係数を表すグラフを示す図
【図１３】光源光量補正係数を表すグラフを示す図
【符号の説明】
【００３７】
１：フィルムスキャナ（スキャナ）
２１：光源
２４：ＮＤフィルタ（減光フィルタ）
６０：コントローラ
６１：メモリ
６３：スキャナ制御部
８０：光源調整管理手段
【図１】
2006033337.tif 000003
【図２】
2006033337.tif 000004
【図３】
2006033337.tif 000005
【図４】
2006033337.tif 000006
【図５】
2006033337.tif 000007
【図６】
2006033337.tif 000008
【図７】
2006033337.tif 000009
【図８】
2006033337.tif 000010
【図９】
2006033337.tif 000011
【図１０】
2006033337.tif 000012
【図１１】
2006033337.tif 000013
【図１２】
2006033337.tif 000014
【図１３】
2006033337.tif 000015